(57)【要約】【課題】支持柱の溶接や高力ボルトによる柱継ぎを不要とし、構成部材の運送効率の悪化も防止可能な屋外階段構造、及び屋外階段構造の設置方法を提供する。【解決手段】建造物の外側に設置される屋外階段構造１であって、下側階段部７と、下側階段部７に対して折返すように連なる上側階段部８と、下側階段部７の上部及び上側階段部８の下部を支持する支持梁９と、支持梁９の下面側に梁勝ち状態で接続され、支持梁９を支持する支持柱１０と、を備えることを特徴とする。【選択図】図１
2019173386.tif 000002
【特許請求の範囲】
【請求項１】
建造物の外側に設置される屋外階段構造であって、
下側階段部と、
前記下側階段部に対して折返すように連なる上側階段部と、
前記下側階段部の上部及び前記上側階段部の下部を支持する支持梁と、
前記支持梁の下面側に梁勝ち状態で接続され、該支持梁を支持する支持柱と、を備えることを特徴とする、屋外階段構造。
【請求項２】
前記支持梁の上面側に梁勝ち状態で接続され、上階の支持梁を支持する支持柱をさらに備える、請求項１に記載の屋外階段構造。
【請求項３】
前記下側階段部の上部及び前記上側階段部の下部に、踊場構成部がそれぞれ設けられており、前記支持梁は前記踊場構成部を下方から支持する、請求項１又は２に記載の屋外階段構造。
【請求項４】
前記支持柱の軸線方向における少なくとも一方の端部には、
前記支持柱を前記支持梁にボルト接合により接続するための接続部が設けられており、
前記接続部は、前記支持柱の軸線方向に対して垂直に延在する板部を有し、
前記板部には、前記支持柱の軸線方向から見て前記支持柱の外面輪郭線よりも内側に位置するボルト貫通用の孔が形成されている、請求項１〜３の何れか一項に記載の屋外階段構造。
【請求項５】
建造物の外側に設置される屋外階段構造の設置方法であって、
支持柱を基礎梁または下階の支持梁の上方に立設する工程と、
前記支持柱の上方に支持梁を梁勝ち状態で接続する工程と、
前記支持梁の上方に下側階段部の上部を配置する工程と、
前記支持梁の上方に、前記下側階段部に対して折返すように連なる上側階段部の下部を配置するとともに他の支持梁の上方に前記上側階段部の上部を配置する工程と、を含む屋外階段構造の設置方法。
【発明の詳細な説明】
【技術分野】
【０００１】
本発明は屋外階段構造、及び屋外階段構造の設置方法に関する。
【背景技術】
【０００２】
従来、建造物の外側に設置される屋外階段としては、例えば特許文献１に示されるような階段が知られている。特許文献１に記載された階段は、建物本体の外側に一対の支持柱を立設するとともに、当該支持柱の両側の側面に支持梁を突設し、これらの支持梁を用いて踊場及び階段部を支持する構造とされている。
【先行技術文献】
【特許文献】
【０００３】
【特許文献１】特許第２７６９３０３号公報
【発明の概要】
【発明が解決しようとする課題】
【０００４】
しかしながら、従来の屋外階段は、支持柱と支持梁との接続部分が、柱勝ちとなっている。すなわち、支持柱の側面に支持梁を突設させる構造であり、階数が増えると溶接または高力ボルトによる柱継ぎ等が必要であった。また、支持柱の側面に支持梁を接続するために、支持柱の側面に予め剛接合した梁やブラケット等が必要となり、その場合、支持柱の側面に突起部が形成されるため、そのような突起部を持たない通常の柱を運搬する場合に比べて運送効率が悪化してしまうという問題があった。
【０００５】
それゆえ本発明は、支持柱の溶接や高力ボルトによる柱継ぎを不要とし、構成部材の運送効率の悪化も防止可能な屋外階段構造、及び屋外階段構造の設置方法を提供することを目的とするものである。
【課題を解決するための手段】
【０００６】
本発明は、上記課題を解決するためになされたものであり、本発明の屋外階段構造は、建造物の外側に設置される屋外階段構造であって、
下側階段部と、
前記下側階段部に対して折返すように連なる上側階段部と、
前記下側階段部の上部及び前記上側階段部の下部を支持する支持梁と、
前記支持梁の下面側に梁勝ち状態で接続され、該支持梁を支持する支持柱と、を備えることを特徴とするものである。
【０００７】
なお、本発明の屋外階段構造にあっては、前記支持梁の上面側に梁勝ち状態で接続され、上階の支持梁を支持する支持柱をさらに備えることが好ましい。
【０００８】
また、本発明の屋外階段構造にあっては、前記下側階段部の上部及び前記上側階段部の下部に、踊場構成部がそれぞれ設けられており、前記支持梁は前記踊場構成部を下方から支持することが好ましい。
【０００９】
また、本発明の屋外階段構造にあっては、前記支持柱の軸線方向における少なくとも一方の端部には、
前記支持柱を前記支持梁にボルト接合により接続するための接続部が設けられており、
前記接続部は、前記支持柱の軸線方向に対して垂直に延在する板部を有し、
前記板部には、前記支持柱の軸線方向から見て前記支持柱の外面輪郭線よりも内側に位置するボルト貫通用の孔が形成されていることが好ましい。
【００１０】
また、本発明の屋外階段構造の設置方法は、建造物の外側に設置される屋外階段構造の設置方法であって、
支持柱を基礎梁または下階の支持梁の上方に立設する工程と、
前記支持柱の上方に支持梁を梁勝ち状態で接続する工程と、
前記支持梁の上方に下側階段部の上部を配置する工程と、
前記支持梁の上方に、前記下側階段部に対して折返すように連なる上側階段部の下部を配置するとともに他の支持梁の上方に前記上側階段部の上部を配置する工程と、を含むことを特徴とするものである。
【発明の効果】
【００１１】
本発明によれば、支持柱の溶接や高力ボルトによる柱継ぎを不要とし、構成部材の運送効率の悪化も防止可能な屋外階段構造、及び屋外階段構造の設置方法を提供することができる。
【図面の簡単な説明】
【００１２】
【図１】本発明の一実施形態としての屋外階段構造を示す斜視図である。
【図２】本発明の他の実施形態としての屋外階段構造を示す斜視図である。
【図３Ａ】図１の屋外階段構造における支持梁と支持柱の接続部を拡大して示す斜視図である。
【図３Ｂ】図３Ａの接続部における支持柱の軸線方向から見た断面図である。
【図４Ａ】支持梁と支持柱の接続部の変形例を拡大して示す斜視図である。
【図４Ｂ】図４Ａの接続部における支持柱の軸線方向から見た断面図である。
【図５】支持梁と支持柱の接続部の変形例を拡大して示す斜視図である。
【図６】支持梁と支持柱の接続部の変形例を拡大して示す斜視図である。
【発明を実施するための形態】
【００１３】
以下、本発明の一実施形態について、図面を参照して詳細に説明する。
【００１４】
図１に示す屋外階段構造１は、建造物の外側に設置される折返し形式の階段である。建造物としては、特に限定されるものではないが、例えば集合住宅や中高層ビルとすることができる。集合住宅としては、例えば、鉄骨造の軸組みを有する６階建ての工業化住宅である。
【００１５】
地盤に固定された鉄筋コンクリート造の基礎構造体（図示省略）と、柱や梁などの軸組部材で構成された軸組架構を有し、基礎構造体に固定された上部構造体と、で構成されている。なお、軸組架構を構成する軸組部材は、規格化（標準化）されたものであり、予め工場にて製造されたのち建築現場に搬入されて組み立てられる。
【００１６】
なお、図１には、建造物としての集合住宅の躯体の一部のみを示している。具体的に、図１には、建造物の各階層の床部を支持する梁２、及び上下の梁２の間に接続され、鉛直方向に延びる間柱３が示されている。梁２は、軸組架構を構成する柱（図示省略）に接続されている。図１に示す例において、梁２はＨ形鋼、間柱３は角形鋼管で構成されているが、これらに限定されず、種々の形鋼もしくは木材等の柱状部材を用いることができる。
【００１７】
屋外階段構造１は、例えば集合住宅の各階の外廊下等に連なる平坦な主踊場４と、階高の中間の高さに位置する平坦な中間踊場５とを備える。主踊場４と中間踊場５の間には、主踊場４と中間踊場５を連結する階段状の昇降部６が設けられている。また、主踊場４、中間踊場５、及び昇降部６は、下側階段部７と、下側階段部７に対して折り返すように連なる上側階段部８とで構成されている。梁２と上側階段部８との間には、外壁パネル等が設置される。なお、中間踊場５側から見て下階に向けて延びる階段部を下側階段部７とし、中間踊場５側から見て上階に向けて延びる階段部を上側階段部８としている。屋外階段構造１は、一方の側面（上側階段部８側の側面）が建造物に面しており、他方の側面（下側階段部７側の側面）が建造物から離間する側に位置している。建造物に対する屋外階段構造１の配置方向は図示例に限定されず、図１の例とは逆側の側面が建造物側となるように配置してもよいし、主踊場４側または中間踊場５側が建造物側となるように配置してもよい。
【００１８】
下側階段部７及び上側階段部８は、階段支持部によって支持される。本例の階段支持部は、下側階段部７及び上側階段部８の下方に位置する支持梁９（第１支持梁９ａ、第２支持梁９ｂ）と、梁勝ち状態で支持梁９に接続される支持柱１０（第１支持柱１０ａ、第２支持柱１０ｂ）とを備える。なお、階段支持部は、第１支持梁９ａと第２支持梁９ｂとの間に接続される補強部材等の、他の部材を備えていてもよい。
【００１９】
下側階段部７は、その上部に設けられた平坦な第１踊場構成部７ａと、下部に設けられた平坦な第２踊場構成部７ｂとを有する。また、第１踊場構成部７ａと第２踊場構成部７ｂとの間の昇降部６には、踏み面部７ｃ及び蹴込み部７ｄが設けられている。さらに、下側階段部７は、略平行に延在する左右の桁部７ｅと、落下防止柵を兼ねた左右の手摺部７ｆとを備える。下側階段部７は、構成部材を工場等で予め組み付けてユニット化された階段ユニット部材とすることができる。
【００２０】
上側階段部８は、上部に設けられた踊場構成部８ａと、下部に設けられた踊場構成部８ｂとを有する。踊場構成部８ａ、８ｂは全体として平坦な部分であるが、一部に段差等の凹凸が形成されていてもよい。また、踊場構成部８ａと踊場構成部８ｂとの間には、昇降部６を構成する踏み面部８ｃ及び蹴込み部８ｄが設けられている。さらに、上側階段部８は、略平行に延在する左右の桁部８ｅと、落下防止柵を兼ねた左右の手摺部８ｆとを備える。下側階段部８は、各部を構成する部材を予め組み付けてユニット化された階段ユニット部材とすることができる。なお、下側階段部７と上側階段部８は、同一形状の共通部材としてもよいし、異なる形状でもよい。また、下側階段部７と上側階段部８の構成は図示例に限定されるものではない。例えば桁部７ｅ、８ｅは図示のような側桁に限らず、ささら桁であってもよいし、また、蹴込み部７ｄ、８ｄを有していない構造であってもよい。
【００２１】
下側階段部７の第１踊場構成部７ａが中間踊場５の一方側の半部を構成し、上側階段部８の第２踊場構成部８ｂが、中間踊場５の他方側の半部を構成する。同様に、主踊場４の一方側の半部は、下側階段部７の第２踊場構成部７ｂで構成され、他方側の半部は、上側階段部８の第１踊場構成部８ａで構成される。
【００２２】
中間踊場５側に位置する下側階段部７の上部（本例では第１踊場構成部７ａ）と上側階段部８の下部（本例では第２踊場構成部８ｂ）は、第１支持梁９ａによって支持され、第１支持梁９ａは第１支持柱１０ａによって支持される。一方で、主踊場４側に位置する下側階段部７の下部（本例では第２踊場構成部７ｂ）と上側階段部８の上部（本例では第１踊場構成部８ａ）は第２支持梁９ｂによって支持され、第２支持梁９ｂは第２支持柱１０ｂによって支持される。本例では、第１踊場構成部７ａと第２踊場構成部８ｂは、第１支持梁９ａの上方に配置され、ボルトにより固定され、同様に第２踊場構成部７ｂと第１踊場構成部８ａは、第２支持梁９ｂの上方に配置され、ボルトにより固定されるが、支持梁９に対する階段部（下側階段部７及び上側階段部８）の固定方法はこれに限定されない。
【００２３】
第１支持梁９ａと第２支持梁９ｂは相互に平行で、異なる高さに配置される。また、中間踊場５側の第１支持柱１０ａ及び主踊場４側の第２支持柱１０ｂは、下側階段部７と上側階段部８との間の隙間に配置される。
【００２４】
本例の第１支持梁９ａ及び第２支持梁９ｂは、Ｈ形鋼の一方のフランジの上面に、階段部接続用の接続板部１１を設けるとともに、接続板部１１に対応する位置において、対向する一対のフランジ間に補強板部１２を溶接したものである。部材を共通化する観点から、第１支持梁９ａと第２支持梁９ｂとが同一の部材であることが好ましいが、形状の異なる部材であってもよい。
【００２５】
第１支持柱１０ａは、第１支持梁９ａの下側に梁勝ち状態で接続され、当該第１支持梁９ａを支持する。ここで、「梁勝ち状態で接続される」とは、支持梁９と支持柱１０の接続部において、支持梁９が連続性を維持するように支持梁９の上面側又は下面側に支持柱１０が接続されることを意味する。なお、支持梁９と支持柱１０は直接結合されていてもよいし、接続金物等の他の部材を間に介して接続されていていてもよい。最上階の支持梁９を除いて、支持梁９の上面側には、上階の支持梁９を支持する支持柱１０が梁勝ち状態で接続される。
【００２６】
第１支持柱１０ａ及び第２支持柱１０ｂは、軸方向の一端部に設けられた柱頭部１３と、他端部に設けられた柱脚部１４とを有する。なお、本例の第１支持柱１０ａ及び第２支持柱１０ｂは、柱頭部１３と柱脚部１４の形状を共通化しているため、上下反転しても使用可能となっている。また、部材を共通化する観点から、第１支持柱１０ａと第２支持柱１０ｂとは、同一の部材であることが好ましいが、形状の異なる部材としてもよい。
【００２７】
柱頭部１３及び柱脚部１４は、支持梁９に対して支持柱１０をボルト接合により接続するための接続部となっている。具体的に、柱頭部１３及び柱脚部１４は、横断面が略十字状の軸部１５と、支持柱１０の軸線方向に対して垂直に延在する板部１６と、を有する。板部１６には、支持柱１０の軸線方向から見て支持柱１０の外面輪郭線よりも内側に位置するボルト貫通用の孔１７が形成されている（図３Ｂ参照）。このように、ボルト貫通用の孔１７が支持柱１０の軸線方向から見て支持柱１０の外面輪郭線よりも内側に位置することで、ボルトが支持柱１０の外側に突出しないため、他の部材に干渉し難く、また、外観的にも優れたものとすることができる。
【００２８】
図３Ａは、支持梁９と支持柱１０の柱脚部１４（または柱頭部１３）との接続部を拡大して示した斜視図である。図３Ｂは、軸部１５において軸線方向に垂直に切断した場合の、支持柱１０の軸線方向から見た断面図である。図３Ａに示すように、支持梁９の上面に支持柱１０を垂直に突き当てるように配置した状態で、支持梁９の上面（または下面）に板部１６を当接させ、板部１６の孔１７を通して支持梁９の上面（または下面）に形成された雌ねじ付きのボルト孔にボルトを締結することにより、支持梁９と支持柱１０とを接続することができる。あるいは、板部１６の孔１７と支持梁９に形成された貫通孔を通してボルトとナットで締結してもよい。
【００２９】
なお、支持梁９と支持柱１０との接続方法はこれに限定されず、柱の軸力とせん断力を十分に伝達できれば、例えば、図４Ａ、４Ｂ、及び図５、６に示す方法でもよい。図４Ａ、４Ｂは、支持柱１０がＨ形鋼である場合の接続部の一例を示す斜視図及び断面図である。支持柱１０の先端に溶接した板部１６には、ボルト貫通用の孔１７が形成されており、板部１６が、図３Ａ、３Ｂに示す場合と同様に、支持梁９の上面（又は下面）にボルト接合される。なお、図４Ｂに示すように、４つの孔１７は、支持柱１０の軸線方向から見て支持柱１０の外面輪郭線（Ｈ形鋼の最大幅位置及び最大奥行位置）よりも内側に位置している。
【００３０】
図５、図６は、支持梁９と支持柱１０の接続部において、ボルト用の孔１７が支持柱１０の外面輪郭線よりも外側に位置する例を示す斜視図である。図５に示すように、断面がＬ型の接続金物１８を用いて、支持梁９と支持柱１０を接続してもよい。図５に示す支持柱１０は角形鋼管であり、支持柱１０の両側面に接するように接続金物１８を配置して、ボルト及びナットで支持柱１０と当該接続金物１８を両側から挟んで締結するようにしている。また、それぞれの接続金物１８は支持梁９の上面（または下面）にボルト接合される。
【００３１】
図６に示す例では、支持柱１０の先端に溶接した板部１６にボルト用の孔１７が形成されており、板部１６を支持梁９の上面（または下面）に当接させて、ボルト接合している。何れの場合にも、支持梁９と支持柱１０とを梁勝ち状態で接続することができる。
【００３２】
中間踊場５側を支持する第１支持梁９ａ及び主踊場４側を支持する第２支持梁９ｂは、建造物の躯体に接続されていることが好ましい。本例の第１支持梁９ａは、上下に隣接する梁２の間に設けられた間柱３に接続されている。間柱３と第１支持梁９ａとの接続は、特に限定されないが、例えば、間柱３に予め溶接又はボルト接合された板状の接続金物３ａ（ブラケット）に対して、第１支持梁９ａの端部をボルト接合することによって行うことができる。また、主踊場４側の第２支持梁９ｂは、梁２に接続されている。梁２と第２支持梁９ｂとの接続は、特に限定されないが、例えば、梁２に溶接された板状の接続金物（図示省略）に対して、第２支持梁９ｂをボルト接合することによって行うことができる。このような構成により、屋外階段構造１で生じる水平方向の力を建造物の躯体で受けることができるため、屋外階段構造１の安定性を向上させ、地震発生時等における横揺れを低減することができる。
【００３３】
以下に、屋外階段構造１の設置方法について説明する。先ず、基礎梁（図示省略）に対して、第１支持柱１０ａの柱脚部１４を固定して第１支持柱１０ａを鉛直に立設する。次いで、第１支持柱１０ａの上面に第１支持梁９ａを積置し、柱頭部１３と第１支持梁９ａの下面とをボルト接合により固定することにより、第１支持柱１０ａと第１支持梁９ａとを梁勝ち状態で接続する。さらに第１支持梁９ａの端部を、間柱３にボルト接合により接続する。次いで、第１支持梁９ａの上方に下側階段部７の第１踊場構成部７ａを配置して、第１支持梁９ａの接続板部１１と第１踊場構成部７ａとをボルト接合により固定する。これにより、第１支持柱１０ａと第１支持梁９ａと下側階段部７とでトラス状態が形成されて架構が安定する。なお、第１支持柱１０ａと第１支持梁９ａとは剛接合としなくても、トラス状態によって架構が安定する。
【００３４】
次いで、第１支持柱１０ａ及び第１支持梁９ａから所定の間隔を空けて、当該第１支持柱１０ａ及び第１支持梁９ａと同様に、第２支持柱１０ｂ及び第２支持梁９ｂを設置する。また、第２支持梁９ｂを、梁２にボルト接合により接続する。そして、第１支持梁９ａの上方に上側階段部８の第２踊場構成部８ｂを配置し、第２支持梁９ｂの上方に当該上側階段部８の第１踊場構成部８ａを配置するようにして、上側階段部８を第１支持梁９ａ及び第２支持梁９ｂの接続板部１１にボルト接合により固定する。これにより、第２支持柱１０ｂと第２支持梁９ｂと上側階段部８とでトラス状態が形成されて架構が安定する。支持梁９（第１支持梁９ａ及び第２支持梁９ｂ）に対する下側階段部７及び上側階段部８の固定は、上述のように支持梁９の接続板部１１に形成された貫通孔を利用したボルト接合により行うことができるが、これに限られない。
【００３５】
次いで、既設した下階の第１支持梁９ａの上面側に、上階の第１支持柱１０ａを梁勝ち状態で接続し、当該第１支持柱１０ａの上方に上階の第１支持梁９ａを固定する。そして、既設した第２支持梁９ｂと上階の第１支持梁９ａの上方に上階の下側階段部７を配置し、固定する。これにより、上階の第１支持柱１０ａと上階の第１支持梁９ａと上階の下側階段部７とでトラス状態が形成されて架構が安定する。これを繰り返すことにより、下方側から階層毎に屋外階段構造１を設置することができる。すなわち、例えば複数階層にわたって延在する長い支持柱を使用する場合のように、大掛かりな足場等の設備が不要となり、また、建造物を建築する過程で使用可能な仮設階段としても利用可能となる。なお、第１支持梁９ａに生じる負荷を軽減する観点から、下階の第１支持柱１０ａと上階の第１支持柱１０ａとは、軸線が同一直線上に位置するように配置されることが好ましいが、これに限られない。同様に、下階の第２支持柱１０ｂと上階の第２支持柱１０ｂも軸線が一致するように配置されることが好ましいが、これに限られない。
【００３６】
また、本実施形態によれば、下階の第１支持柱１０ａと上階の第１支持柱１０ａとの間に、第１支持梁９ａが位置することになるため、上下の第１支持柱１０ａ同士を直接連結する作業が不要となる。そのため、支持柱１０の溶接または高力ボルトによる柱継ぎが不要となり、現場での施工作業が容易となる。また、支持柱１０の側面に支持梁９を接続するための持ち出し梁やブラケット等の構成が不要となるため、支持柱１０の運送効率の悪化も抑制することができる。
【００３７】
図２は、本発明の他の実施形態としての屋外階段構造２０を示している。屋外階段構造２０が設置される建造物の躯体は柱２１と、一対の柱２１間に接続された梁２２とを備えている。
【００３８】
屋外階段構造２０は、図１に示す先の実施形態と構成が同様であり、左右反転した下側階段部７と上側階段部８とを備える。
【００３９】
また、屋外階段構造２０は、建造物から離間する側に位置する中間踊場５側の第１支持梁９ｃ及び左右一対の第１支持柱１０ｃと、建造物の柱２１に固定された持ち出し梁２３に接続された主踊場４側の第２支持梁９ｄと、を備える。また、屋外階段構造２０には、第１支持梁９ｃの両端部と、持ち出し梁２３とを接続する補強部材２４が設けられている。なお、本例の持ち出し梁２３は、建造物の柱２１に固定されているが、これに限られず、建造物の梁２２に固定されていてもよい。
【００４０】
図１に示す先の実施形態では、主踊場４側及び中間踊場５側がともに、支持梁９及び支持柱１０によって支持される構成としているが、本実施形態では、下側階段部７と上側階段部８の主踊場４側を建造物側の躯体（梁２２に固定された持ち出し梁２３）で支持する構成としている。これにより、主踊場４側の安定性を高めることができる。
【００４１】
また、屋外階段構造２０は、図１に示す先の実施形態では、下側階段部７と上側階段部８との間の隙間に、第１支持柱１０ａ及び第２支持柱１０ｂが配置される構成としていたが、本例では、一対の第１支持柱１０ｃが下側階段部７と上側階段部８の外側にそれぞれ配置されている。このように、下側階段部７と上側階段部８を外側から挟むように一対の支持柱を設けることにより、安定性を高めることができる。なお、下側階段部７と上側階段部８との間の隙間に第１支持梁９ｃを支持する支持柱１０を１本のみ、または複数本設けるようにしてもよい。
【００４２】
屋外階段構造２０において、一対の第１支持柱１０ｃは、それぞれ第１支持梁９ｃに対して梁勝ち状態で接続されているため、先の実施形態と同様に、第１支持柱１０ｃ同士を上下に直接連結する作業が不要となる。そのため、溶接または高力ボルトによる柱継ぎが不要となり、現場での施工作業が容易となる。また、第１支持柱１０ｃの側面に第１支持梁９ｃを接続するための持ち出し梁やブラケット等の構成が不要となるため、第１支持柱１０ｃの運送効率の悪化も抑制することができる。また、本例の屋外階段構造２０においても各部材を階層毎に設置することができるため、施工が容易であり、仮設階段としても利用可能である。また、建物を下層から順に施工する場合には、建物の施工進捗に合わせて階段を設置することができるため、階段の支柱だけ突出してそのための安全対策をする必要がない。
【００４３】
また、上述のように、屋外階段構造２０は、主踊場４側が建造物に面しており、中間踊場５側が建物から突出しているため、中間踊場５側が安定し難いところ、左右一対の第１支持柱１０ｃを設けることにより、安定性を向上させている。さらに、建造物躯体側の持ち出し梁２３と第１支持梁９ｃとを補強部材２４を設けることにより、中間踊場５側の安定性をより効果的に高めることができる。
【００４４】
本発明に係る建物は、上述した実施形態の構成に限定されるものではなく、特許請求の範囲で記載された内容を逸脱しない範囲で、様々な構成により実現することが可能である。例えば、支持梁９及び支持柱１０の形状は、上述の例に限定されず、種々の形鋼もしくは木材等の柱状部材を用いることができる。また、図１に示す屋外階段構造１では、１本の支持梁９（第１支持梁９ａまたは第２支持梁９ｂ）に掛かる鉛直荷重を１本の支持柱１０（第１支持柱１０ａまたは第２支持柱１０ｂ）で受ける構成としているが、それぞれの支持梁９に複数本の支持柱１０を接続して、当該複数本の支持柱１０で鉛直荷重を受けるようにしてもよい。
【００４５】
また、屋外階段構造２０では、主踊場４側の鉛直方向荷重を建造物の躯体側で支持する構成としているが、階段支持部を構成する支持柱１０で主踊場４側の鉛直方向荷重を受ける構成としてもよい。すなわち、例えば、中間踊場５側と同様に一対の支持柱１０を第２支持梁９ｄに接続して、当該一対の支持柱１０で主踊場４側の鉛直荷重を受ける構成としてもよい。
【符号の説明】
【００４６】
１：屋外階段構造
２：梁
３：間柱
４：主踊場
５：中間踊場
６：昇降部
７：下側階段部
７ａ：第１踊場構成部（踊場構成部）
７ｂ：第２踊場構成部（踊場構成部）
７ｃ：踏み面部
７ｄ：蹴込み部
７ｅ：桁部
７ｆ：手摺部
８：上側階段部
８ａ：第１踊場構成部（踊場構成部）
８ｂ：第２踊場構成部（踊場構成部）
８ｃ：踏み面部
８ｄ：蹴込み部
８ｅ：桁部
８ｆ：手摺部
９（９ａ、９ｂ、９ｃ、９ｄ）：支持梁
１０（１０ａ、１０ｂ、１０ｃ）：支持柱
１１：接続板部
１２：補強板部
１３：柱頭部（接続部）
１４：柱脚部（接続部）
１５：軸部
１６：板部
１７：ボルト貫通用の孔
１８：接続金物
２０：屋外階段構造
２１：柱
２２：梁
２３：持ち出し梁
２４：補強部材
【図１】
2019173386.tif 000003
【図２】
2019173386.tif 000004
【図３Ａ】
2019173386.tif 000005
【図３Ｂ】
2019173386.tif 000006
【図４Ａ】
2019173386.tif 000007
【図４Ｂ】
2019173386.tif 000008
【図５】
2019173386.tif 000009
【図６】
2019173386.tif 000010